Podtech/llm-jp-corpus-v4-ja_patent huggingface dataset:
(57)【要約】      （修正有）【課題】高速で安定した回転が得られ、特に、水流が弱い場合、水流が斜めに当たる場合、プロペラが小さい場合などにおいても回転が良くなる魚釣りルアー用プロペラを提供する。【解決手段】プロペラのブレード４上に壁面ないし段差２を設ける。壁面ないし段差２を設ける方法としては、ブレード４を側面から見てクランク状に折り曲げた形状として段差２を作る。ブレード４面上にフィン状の突起を設ける方法もある。厚みのあるブレード４の場合、軸穴１の付近を削り込むことで段差２を設けることができる。壁面ないし段差２により生じた直立面は、ブレード４面に対しておよそ垂直をなし、軸穴１を対称の中心として向き合い、およそ平行になるように二つ一組で配置する。水流がその凹みに当たるような向きで用いる。【選択図】図１
0003190893.tif 000002
【実用新案登録請求の範囲】
【請求項１】
軸穴を対称の中心として、プロペラのブレード面におよそ垂直に立つ壁面ないし段差を、軸穴を挟んで向き合いおよそ平行となるような配置で設けたルアー用プロペラ。
【考案の詳細な説明】
【技術分野】
【０００１】  本考案は釣り具のルアーのパーツとして用いるプロペラに関するものである。
【背景技術】
【０００２】  金属プレートを打ち抜くなどして製作するルアー用プロペラを背景技術とする。
【考案の概要】
【考案が解決しようとする課題】
【０００３】  ルアーのリトリーブ速度が遅いときや、プロペラに当たる水流がプロペラの回転面に対して斜めとなったときに、プロペラの回転速度が落ちること、ときには止まってしまうことは、ルアー用のプロペラにとってかねてよりの問題であり、本考案はその点の改善を、シンプルな形状で実現することを課題とする。同時に、小さなプロペラは回転が鈍い傾向を持つが、その点を改善することも本考案の課題である。
【課題を解決するための手段】
【０００４】  プロペラのブレード上に壁面ないし段差を設ける。壁面ないし段差を設ける方法としては、ブレードを側面から見てクランク状に折り曲げた形状として段差を作る方法が作成に際して比較的容易であり、効果も大きい。ブレード面上にフィン状の突起を設ける方法もある。厚みのあるブレードの場合、軸穴の付近を削り込むことで段差を設けることができる。壁面ないし段差により生じた直立面は、ブレード面に対しておよそ垂直をなし、軸穴を対称の中心として向き合い、およそ平行になるように二つ一組で配置する。軸穴を中心としてコの字型の凹みが形成されるような形となる。あるいは側面から見て井戸型とも呼ばれる形であり、その底面の中心に軸穴が位置する。水流がその凹みに当たるような向きで用いる。
【考案の効果】
【０００５】  水流が壁面ないし段差にあたることにより、プロペラの回転を促す。おそらく、凹みに当たった水はルアーの移動にともない発生する水圧により壁面ないし段差に押し付けられるようにして流れ、その流れがプロペラの回転を促すものと思われる。
高速で安定した回転が得られ、特に、水流が弱い場合、水流が斜めに当たる場合、プロペラが小さい場合などにおいても回転が良くなる。
【図面の簡単な説明】
【０００６】
【図１】  本考案の斜視図
【図２】  本考案の別の実施例を示す斜視図
【考案を実施するための形態】
【０００７】  軸穴１を対称の中心として、軸穴１を挟んで向き合う配置で、ブレード４上に壁面３ないし段差２を設ける。壁面３ないし段差２の高さは、ブレード４の幅の半分程度で十分であり、高さが小さい場合にも効果は得られる。壁面３ないし段差２により生じる直立面は、ブレード面とおよそ垂直をなす形状が効果的である。およそ垂直とすることが最も効果的であると観察される。壁面３同志、段差２同志は、互いにおよそ平行となるように配置する。平行な線を若干湾曲させることで最適な効果が得られる場合もありうる。
軸穴１から壁面３ないし段差２までの距離は、プロペラの回転半径の半分程度よりも小さくし、軸穴１寄りとすることで高い効果が得られる。
壁面３ないし段差２がブレード上に形成する平行な線が、ブレードの長軸方向となす角度は、どの角度においてもある程度の効果は見られるのであるが、およそ直角または平行とした場合が効果的であると観察される。
ブレード面には従来のプロペラと同様に捻りを加える。本考案においては、その捻りが極めて小さい形状においても良く回ることが特徴であり、最大限の回転数を得るには捻りを小さめにしたほうが効果的であると観察される。捻りが小さくとも安定した回転が得れれる。
【実施例】
【０００８】  図１に示す。ブレード４を折り曲げて、側面から見て、コの字型ないし井戸型となる凹みを形成し、その凹みの中心に軸穴１がくるような形状とする。段差２の高さはブレード４の幅の半分程度で十分な効果が得れることが観察されるが、プロペラが小型になるほど比率として高さを増したほうが有効となる傾向がある。【０００９】  図１において、軸穴１のある面を底面とすると、そこから一段上がったところの段差２の折り目について、その折り方を斜めとする。そうすることでブレード面が斜めとなり、さらなる捻りを加えることが不要となる。【００１０】  図２に示す。ブレード４の軸穴１付近の縁を、ブレード面に対して垂直に折るような形で壁面３を設ける。壁面３はブレード４の長軸方向とおよそ平行になるような形状となる。この形状においては、プロペラの強度を飛躍的に高める効果も得られる。
壁面３の長さについては、短くても長くても効果は得られる。軸穴１の近傍にのみ壁面３を設けても有効である。また逆に軸穴１の近傍からブレードの先端付近に至る長さとしても良い。最適な長さはブレードの形状や大きさ、素材の強度などにより異なる。
互いに向き合う壁面３の位置関係は、図２に示すように、軸穴１を対称の中心として互い違いとなるようにする。【００１１】  ブレードの数を３枚以上とした場合にも、ブレード上に壁面ないし段差を設けることで効果が得られる。【００１２】  ブレードの数を４枚とした場合、直線上に並ぶ２枚のブレード上に壁面ないし段差を設け、他の２枚には設けないという形態もある。【００１３】  さらに変則的な形態とはなるが、２枚のブレードのプロペラにおいて、片側のブレードにだけ壁面ないし段差を設ける。この場合も回転が良くなる効果は得られる。また、回転によりバイブレーションが発生する効果もあり、魚を釣るルアーにとっては有効な効果ともなる。３枚のブレードのうちの１枚だけに壁面ないし段差を設けるなどの形態もありうる。【００１４】  ブレードに厚みがある場合には、軸穴の付近を削り込んで凹ませた形状とすることで段差を設けることができる。【００１５】  凹みの底となる軸穴１付近を軸穴１を頂点として進行方向に向けて凸の形状とする。こうすることで、より高い安定性が得られることもある。
【産業上の利用可能性】
【００１６】  発電用のプロペラ、特に軽量なタイプにおいては有効に利用しうるものと思われる。風力ないし水力を受けて回るプロペラにおいては全般的に利用可能と思われる。また、推力を発生させる場合にも有効かもしれない。図２に示した形状は、プロペラの強度を高めるという点においての利用も可能かと思われる。
【符号の説明】
【００１７】１  軸穴
２  段差
３  壁面
４  ブレード
【図１】
0003190893.tif 000003
【図２】
0003190893.tif 000004
(57)【要約】      （修正有）【課題】加温機能が良く身体の柔軟な動作にフィット変形する可撓性に優れた加温剤を袋に収容してポケット内に入れて、当該屋内外での作業性に影響のない且つ作業効率を高めるウオーム上着を提供する。【解決手段】ウオーム上着１０の少なくとも脇部と背中部及び／又は腹部の裏面にポケットＰ１〜Ｐ３を設け、ポケットに、加温剤１００、（蓄熱剤等を含む）を収容した単数又は複数の加温剤収容袋１０１を、交換可能に収容した。【選択図】図２
0003190895.tif 000002
【実用新案登録請求の範囲】
【請求項１】
ウオーム上着の少なくとも脇部と背中部及び／又は腹部の裏面にポケットを設け、前記ポケットに、加温剤、（蓄熱剤等を含む）を収容した加温剤収容袋を、単数又は複数を交換可能に収容したことを特徴とするウオーム上着。
【考案の詳細な説明】
【技術分野】
【０００１】  本考案は、特に寒い冬場において、各種の屋内外作業等が、安全に且つ作業効率を高めるために利用する各種下着シャツ、ジャンバー、コート、ジャケット、オーバー等のウオーム上着に関するものであり、カイロ等の加温剤を内設したウオーム上着を提供するものである。
【背景技術】
【０００２】  特に寒い冬場において、例えば各種建設現場における各種の屋内外作業では、ウオーム上着は作業者の重要なアイテムである。【０００３】  従来、カイロを内設したシャツは見当たらない。【０００４】
【考案の概要】
【考案が解決しようとする課題】
【０００７】  本考案は簡単な構成でウオーム上着の裏面のポケット内に加温機能があり身体の柔軟な動作にフィット変形する可撓性に優れた加温剤を収容した加温剤収容袋を挿入して、当該屋内外での作業性に影響のない且つ作業効率を高めるウオーム上着を提供する。
【課題を解決するための手段】
【０００８】上記課題を満足させる本考案の基本的な技術構成は、次の（１）の通りである。
（１）、ウオーム上着の少なくとも脇部と背中部及び／又は腹部の裏面にポケットを設け、前記ポケットに加温剤、（蓄熱剤等を含む）を収容した加温剤袋を、単数又は複数を交換可能に収容したことを特徴とするウオーム上着。
【考案の効果】
【０００９】本考案のウオーム上着は、簡単な構成で脇下背中及び／又は腹部の裏面に配置のポケット内の加温剤から身体の脇下、背中、腹部等を加温し、しかも加温剤は、当該ポケットと共に動作に柔軟にフィット変形する可撓性に優れ、当該屋内外での作業性に影響がない粒状或いは紛体又はシート状のものにして、またポケット内の加温剤を加温能低下に伴い入れ替え交換することにより身体の当該部位の加温効果を長時間有効に維持し作業効率を高位に安全に維持するものである。
【図面の簡単な説明】
【００１０】
【図１】本考案の実施例の作業用のウオーム上着を示す正面説明図である。
【図２】図１に示す前記ウオーム上着のジッパーを開けて半開きにして背面の裏側が見えるようにした説明図である。
【図３】図２の矢視Ａ−Ａからの断面図ある。
【考案を実施するための形態】
【００１１】  本考案の実施例のウオーム上着１０を図１〜図３と共に説明する。
ウオーム上着１０は、各種下着シャツ、ジャンバー、コート、ジャケット、オーバー等である。本例のウオーム上着１０はジッパー式のジャンバーにしてあるが本考案はこれに限定されない。
【００１２】  上記ウオーム上着１０の裏面には、図１と図２に示すように少なくとも両脇部のポケットＰ１、背中部ポケットＰ２、両腹部のポケットＰ３を設けてある。
【００１３】  ポケットＰ１〜Ｐ３は、単数或いは複数の加温剤収容袋１０１を交換可能に収容するものであり収容袋挿入口Ｐ１０〜３０をそのまま開放したもの或いは適宜な開閉具を設けてよく、ウオーム上着１０の裏面生地とは別に形成し、材質としては通気性の良いタオル地、ポリエステル繊維布、ナイロン繊維布、木綿布、絹布、或いはこれらの適宜な混紡布或いは不繊布製の布地等により袋状に形成して縫製したものである。
【００１４】  本例のポケットＰ１〜Ｐ３は、図３に代表としてＰ２の断面を示すように、加温剤１００の酸化発熱反応による加温効能を得るため、通気性があり保温性もあるタオル生地製にし、ウオーム上着１０の裏面（裏地）に、その本体上端を縫製して吊り下げ配置してある。
【００１５】  ポケットＰ１〜Ｐ３に設ける前記開閉具は、前記加温剤１００の収容袋１０１をポケットから取り出し交換する際に用いると共に、収容袋１０１の使用中の飛び出しや、はみ出しを防止するもので、開閉エプロン、開閉チャック、面ファスナー（商標：マジックテープ）等の開閉ファスナ又はジッパー或いはボタン、ホック、安全ピン、その他の適宜な公知のクリップである。  本例は、ポケットＰ１〜Ｐ３の上部に面ファスナー式の開閉具Ｃ０を設けてある。
【００１６】前記加温剤１００は、主成分が、鉄粉と活性炭や保水剤（バーミキュライト）木粉等軽い物を混合して構成し、この混合物を還元状態にして、顆粒状、粒状、紛状或いはシート状に加工した無害なものを言い、空気との接触で酸化発熱反応をするものである。
【００１７】加温剤以外に保冷剤として、高吸水性ポリマーのゲル状タイプの保冷剤（蓄冷剤）を収容してもよい。
【産業上の利用可能性】
【００１８】  本考案のウオーム上着は前記した優れた作用効果を呈するものである。このため、特に各種建設業界及び植木剪定等の造園業界等で従事する作業者の寒さ対策に貢献すること多大なものがある。
【符号の説明】
【００１９】Ｐ１〜Ｐ３：ポケット
１０：ウオーム上着の一例のジッパー式ジャンバー
１００：加温剤
１０１：加温剤収容袋
Ｃ０：面ファスナー式の開閉具
【図１】
0003190895.tif 000003
【図２】
0003190895.tif 000004
【図３】
0003190895.tif 000005
(57)【要約】      （修正有）【課題】子供が睡眠中無意識にまくりあげでしまい掻きこし皮膚を悪化させてしまう事を予防できるアトピー子供パジャマを提供する。【解決手段】パジャマ上着と長いパジャマズボンの先端に、巾着袋の要領で紐４を２本ずつ付け、直接爪による掻きむしりを防止し、パジャマ上着の裏側の肩口から脇を通って最下端まで数センチ幅で、中表袋縫い部を形成し、縫い目がチクチク子供の皮膚を刺激する心配がなくなることを特徴とするアトピー子供パジャマ。【選択図】図４
0003190896.tif 000002
【実用新案登録請求の範囲】
【請求項１】
パジャマ上着と長いパジャマズボンの先端に、巾着袋の要領で紐を２本ずつ付け、直接爪による掻きむしりを防止し、パジャマ上着の裏側の肩口から脇を通って最下端まで数センチ幅で、中表袋縫い部を形成し、縫い目がチクチク子供の皮膚を刺激する心配がなくなることを特徴とするアトピー子供パジャマ。
【考案の詳細な説明】
【技術分野】
【０００１】  本考案はアトピー性皮膚炎の子供のための巾着袋式紐付きパジャマである。
【背景技術】
【０００２】  手袋と袖を一体化して引っ掻きから皮膚保護するものがあった（特許文献１参照）。
【特許文献１】登録実用新案公報第３０５５６３１号
【考案の概要】
【考案が解決しようとする課題】
【０００３】  上記参照文献に見られる先行技術では、手袋部分のファスナーが肌を刺激してしまい、アトピーを悪化させてしまう事が難点であった。
【課題を解決するための手段】
【０００４】  パジャマ上着と長いパジャマズボンの先端に、巾着袋の要領で紐を２本ずつ付け、パジャマ上着の裏側の肩口から脇を通って最下端まで数センチ幅で、中表袋縫い部を形成する。
以上を特徴とするアトピー子供パジャマである。
【考案の効果】
【０００５】  本考案の最大の特徴である巾着袋付き長袖、長ズボンのパジャマの性能によりパジャマから手が出ないので、直接爪による掻きむしりを防止し、皮膚の保護、回復にもつながる。通常のパジャマより幅、長さにゆとりを持たせる事により、ゆったりと手足を伸ばせるが、掻きむしる事はできない。そして痒みの連鎖を断ち切り長期戦のアトピーで悩むお子様、そして毎晩掻きむしる子供の手を止める事に必死で睡眠不足になるお母様達の苦労を和らげる。
【図面の簡単な説明】
【０００６】
【図１】本考案の一部であるパジャマ上着の正面図
【図２】本考案の一部であるズボンの斜視図
【図３】本考案の一部であるズボン先端の巾着部の拡大図
【図４】本考案の一部であるパジャマ上着の正面図
【図５】本考案の一部であるズボンの斜視図
【図６】本考案の一部であるパジャマ上着の裏返した状態を示す正面図
【考案を実施するための形態】
【０００７】  以下、本考案の実施の形態を説明する。
パジャマ上着（１）と長いパジャマズボン（２）の先端に、巾着袋（３）の要領で紐（４）を２本ずつ付け、パジャマ上着（１）の裏側の肩口から脇を通って最下端まで数センチ幅で、中表袋縫い部（６）を形成する。
本考案は以上のような構成であり、以下、これの実際の使用例を説明する。
図１と図２は着用前（まだ手足のパジャマの紐を締めていない）状態である。
手足の指先がすっぽり覆わせるため通常のパジャマより袖部分、ズボンの丈を長めに作る。
図３は本考案最大の特徴である巾着部（３）の拡大図である。子供が睡眠するときは左右の紐（４）を引っ張りすぼめてリボン結びでしっかり結わく。
図４．５はリボン結びでしっかり結わいた状態を示す。これにより子供の手足はパジャマに包み込まれているので、直接爪による掻きむしり防止となり、皮膚の保護、回復につながる。通常のパジャマより幅、長さにゆとりを持たせることにより、ゆったりと手足を伸ばすことはできるが、掻きむしる事はできない。
図６はパジャマ上着（１）を裏返した状態を示しているが、肩口から脇を通って最下端部まで数センチ幅で、中表袋縫い部（５）を形成してあるので、縫い目がチクチク子供の皮膚を刺激する心配がない。
お風呂上りや食事中など睡眠中以外は長袖、長ズボン部分を三つ折りにしてボタンで留めることにより手足を出して快適に過ごすことができる。
【符号の説明】
【０００８】  １  パジャマ上着
２  パジャマズボン
３  巾着袋
４  紐
５  中表袋縫い部
【図１】
0003190896.tif 000003
【図２】
0003190896.tif 000004
【図３】
0003190896.tif 000005
【図４】
0003190896.tif 000006
【図５】
0003190896.tif 000007
【図６】
0003190896.tif 000008
(57)【要約】      （修正有）【課題】本と同数の磁気テープやＣＤやＤＶＤの制作費を不要とし、読者も、スマートフォンを用意するだけで内容を見聞きできる本を提供する。【解決手段】有名人の自伝本や語学や音楽や詩の読本、観光案内書などの記述内容や著者自身の説明・解説の全部や一部分の音源や映像をマトリックス型二次元コード化して本のページ内に刷込む。読書をしながら、その記述に関する音源や映像を見聞きしたければ、そのページ１に刷込まれたマトリックス型二次元コード２にスマートフォンをあて、これを読み取ることで、その部分の音楽や朗読や動画だけを効率良く見聞できる。【選択図】図１
0003189790.tif 000002
【実用新案登録請求の範囲】
【請求項１】
本の表紙や内部ページ上に、その記述内容や著者自身の説明・解説の全部又は一部を、音源化したり映像化し、その音源や映像をマトリックス型二次元コード化して本の内部に刷込み、読者がスマートフォンで見聞できるようにした本。
【考案の詳細な説明】
【産業上の利用分野】
【０００１】本考案は、自伝や語学や音楽や詩の読本あるいは観光案内などの本の表紙や内部ページ上に、その記述内容や著者自身の説明・解説の全部又は一部を、音源化したり映像化して、音源や演奏風景、朗読音、朗読風景、観光の音声案内などをマトリックス型二次元コード化して刷込み、読者がスマートフォンで見聞できるようにした本。
【背景技術】
【０００２】  これまでは有名人の自伝本や語学や音楽や詩の読本、観光案内書などの記述内容や説明・解説の全部や一部分が音源化されたり映像化されたものを、磁気テープやＣＤやＤＶＤに落とし、その現物を本に綴じ込むか別途添付して販売されてきた。
【考案が解決しようとする課題】
【０００３】  当然、これらの磁気テープやＣＤやＤＶＤは本と同数を制作しなければならず手間と費用がかさんでいた。
また、読者がそれを見聞きするにもラジカセやＣＤ、ＤＶＤプレーヤーなどを別途用意しなければならなかった。
【課題を解決するための手段】
【０００４】  本考案は、この問題を解決するためになされた。
つまり、読書をしながら、その記述に関する音源や映像を見聞きしたければ、そのページに刷込まれたマトリックス型二次元コードにスマートフォンをあて、それを読み取ることで、その部分の音楽や朗読や動画を見聞できるようにした。
【作用】
【０００５】  自伝本や語学や音楽や詩の読本、観光案内書などの記述内容や著者自身の説明・解説の全部や一部分の音源や映像がマトリックス型二次元コード化されて本のページ内に刷り込まれることで、製本者は、磁気テープやＣＤやＤＶＤを本の数にあわせて制作する必要はなく、それらを綴じ込んだり、別途添付する必要もなくなる。
当然、その分の経費も少なくなり、読者もラジカセやＣＤ、ＤＶＤプレーヤーなどを用意しなくて良くなる。
【実施例】
【０００６】  以下、本案の実施例について説明する。
有名人の自伝本に採用すれば、著者が最も輝いていた頃の音声や映像を読書しながらその場でスマートフォンで見聞できる。
外国語の会話読本に採用すれば、読者は聞きたい発音の部分だけスートフォンをあてて効率良く学習できる。
旅行案内書であれば、特に行ってみたい場所だけの説明を聞けるし、動画を見ることが可能となる。音楽や詩の読本の場合も同様である。ミュージシャンによるアルバム制作にもＣＤやＤＶＤなしのものを誕生させることができる。
さらに銀行や郵便局の預金通帳や貯金通帳のように冊子になっているものであれば、そのページ上に商品説明やＣＭなどを刷込むことも可能となる。
また、マトリックス型二次元コード化したものはページ毎に刷込めるので、音楽、解説、セールスなどの音源はもちろん、映像も様々に加工して一冊の本で多様な発信が可能となる。
【考案の効果】
【０００７】  本のページ内へのマトリックス型二次元コードの刷り込みは、音声や動画のデータファイル原本１つだけでサーバーへのアップロードが可能となるため、これまでのような本と同数の磁気テープ、ＣＤ、ＤＶＤなどの制作は一切不要となるため制作費の大幅な削減が可能となる。
読者もスマートフォンだけ用意すれば良い。
【図面の簡単な説明】
【０００８】
【図１】（１）は本、案内書  （２）は本の内部ページ上に刷込まれた音声や動画のマトリックス型二次元コード
【図２】（１）は本、案内書  （２）は本の表紙に刷込まれた音声や動画のマトリックス型二次元コード
【図３】（１）は預金または貯金通帳  （２）は通帳内部のページ上に刷込まれた音声や動画のマトリックス型二次元コード
【図１】
0003189790.tif 000003
【図２】
0003189790.tif 000004
【図３】
0003189790.tif 000005
(57)【要約】      （修正有）【課題】患者へ経管栄養補給などを行う際には、枕に頭を乗せ、顔を上向きに傾けて行うが、耳が枕から圧迫され発赤するなど、患者へ大きな負担をかけることが多い。そこで耳を圧迫せず快適に介護を受けることを可能とする枕を提供する。【解決手段】伸縮自由な弾性素材からなる輪を両端に取り付けた平枕１と、１個の筒状枕２を２個の前記平枕の同方向の端部の輪に通し、もう１個の筒状枕２を前記平枕の他の方向の輪に通して構成される井形状の枕により、上記課題を解決する。【選択図】図１
0003189783.tif 000002
【実用新案登録請求の範囲】
【請求項１】
伸縮自由な弾性素材からなる輪を両端に取り付けた平枕２個と、筒状枕２個を前記平枕２個の同方向の端部の輪２個にそれぞれ通すことで、平枕と筒状枕とで井形状に構成された枕。
【考案の詳細な説明】
【技術分野】
【０００１】看護を要する患者に用いる枕に関する。
【背景技術】
【０００２】看護を要する患者の内、体位変換を必要としている患者は多数にのぼり、その内半数以上は、胃瘻などの経管栄養管理が必要である。
経管にて栄養を与える場合には、患者は頭を枕に置き、右側腹を下にした側臥位の姿勢で寝て、床から２０°から３０°の角度で上半身を上に向ける。
この体位の保持時間の目安として、組織減圧のための標準的看護ケアの指標があり、毛細血管が外部からの圧力に耐える約２時間が指定されている。
しかしながら、経管栄養補給には長時間を要し、２時間以上の側臥位の姿勢を保持していることが多く、そのため患者の耳が枕から圧迫され発赤が生じる弊害が見られる。
そこで特許文献１では、枕に後頭部及び両耳を収める３個の窪みを設け、仰向けの状態から頭を左右いずれかに傾けたとき、耳が上記窪みに収まることで枕からの圧迫を除去し、耳の発赤を防止することを実現しようとした。
【先行技術文献】
【０００３】
【特許文献】
【特許文献】  特開２００５−１１８３９７
【考案の概要】
【考案が解決しようとする課題】
【０００４】しかしながら、上記の枕の窪みは枕に固定されているため、耳を窪みに確実に収めるためには、患者の頭を持ち上げ枕の位置を調整する作業が必要になるという課題がある。
【課題を解決するための手段】
【０００５】伸縮自由な弾性素材からなる輪を長尺状の両端に取り付けた平枕と、筒状枕１個を前記平枕２個の同方向の端部の輪に通し、もう１個の筒状枕を前記平枕の他の方向の輪に通して構成される井形状の枕によって、上記課題を解決する。
【考案の効果】
【０００６】筒状枕１個で頭部を他の１個の筒状枕で首部を保持し、経管栄養補給時に斜め上向きに顔を向けた際に、前記２個の枕の間に生じる空間部に下方の耳が収まる。
患者の頭部が筒状枕のどの位置にあっても、平枕に取り付けた輪が筒状枕を移動し、かつ弾性によって伸縮可能なため、容易に筒状枕及び平枕の位置を移動することができ、耳を収める最適な空間部を直ちに構成可能である。
これによって、患者に耳が枕から圧迫されるという負担をかけることなく、長時間の経管栄養補給の処置を可能とする。
下表に患者１０名を対象にして、図２に示す、中央幅方向に表裏を縫い合わせて窪みを形成した従来の枕を用いた場合と本考案の枕を用いた場合の耳部にかかる圧力を計測した結果を示す。
患者ごとに若干ばらつきはあるが、いずれの患者においても本考案の枕を用いることで、大幅に体圧が減少することが分かる。
尚、体圧の低減効果は、全患者を平均すると従来枕の１／４であった。
0003189783.tif 000003
【図面の簡単な説明】
【０００７】
【図１】本考案の全体を示す外観図
【図２】本考案の使用状況を示す図
【図３】従来の介護用枕の外観図
【考案を実施するための形態】
【０００８】図１に示すように、長尺状の平枕の両端に、伸縮自在な弾性素材からなる輪２個を取り付ける。平枕は、タオルなどを重ねて構成し、更に袋状の布に収納しても良い。患者の顔に接触する平枕の表面素材に、柔軟性や吸湿性を有するタオルやガーゼなどを用いることで、患者の顔、目、鼻、口の感触を良好に保ち、長時間の看護も快適に過ごすことを可能とする。
伸縮自在な弾性素材としては、平ゴムを採用する。
更に図１に示すように、頭と首を保持する筒状枕２個を、平行に並べた前記平枕に直交するように平枕の輪に通し、井形状に構成する。
頭と首を保持する枕は、一般の枕と同様、円筒状の袋に通気性と緩衝効果の有る発泡ビーズあるいは樹脂製ストローの断片、またはそば殻などを封入する。
なお、２個の筒状枕の太さ同一でも良いが、頭と首のそれぞれの保持する高さの差異を考慮してそれぞれ最適な太さにすることが望ましい。
患者はそれぞれ体型が異り、首から耳までの距離や顔を傾けた際の耳の位置に差異が生じる。
その場合には、本考案の平枕に取り付けた伸縮自由な弾性素材の輪を枕の長軸方向に移動させたり、あるいは２個の枕の間の距離を調整することで、それぞれの患者に最適な形状を容易に実現できる。
以上により、患者が顔を上方に向けた際、下方の耳が枕に接触しない空間を容易に設けることを可能とし、患者に耳が枕から圧迫されるという負担をかけることなく、長時間にわたる経管栄養補給が可能とする。
【符号の説明】
【０００９】  １  平枕
２  筒状枕
３  輪
【図１】
0003189783.tif 000004
【図２】
0003189783.tif 000005
【図３】
0003189783.tif 000006
(57)【要約】      （修正有）【課題】牛皮に代えてポリエステル等の生地を使用し、例えば蛇柄やハイビスカス等の柄をプリントした人工皮のパーランクーを提供する。【解決手段】手持ちの片張り太鼓であるパーランクー１であって、胴輪部２と、この胴輪部２の一面に張設された人工皮３と、この人工皮３の周縁部を胴輪部２の側面に固定する複数の鋲４と、を備える。【選択図】図１
0003189766.tif 000002
【実用新案登録請求の範囲】
【請求項１】
胴輪部と、
該胴輪部の一面に張設された人工皮と、
該人工皮の周縁部を前記胴輪部の側面に固定する複数の鋲と、
を備えることを特徴とするパーランクー。
【請求項２】
前記人工皮はポリエステル樹脂又は塩化ビニール樹脂であることを特徴とする請求項１に記載のパーランクー。
【請求項３】
前記人工皮には蛇柄の模様、又はハイビスカスの模様が印刷されていることを特徴とする請求項１、又は２に記載のパーランクー。
【考案の詳細な説明】
【技術分野】
【０００１】
本考案は、エイサーや民俗芸能で使用される手持ちの片張り太鼓であるパーランクーに関する。
【背景技術】
【０００２】
エイサーや民俗芸能で使用される手持ちの片張り太鼓であるパーランクーは、中国から久米村に伝わったとされ、一糸乱れぬパーランクーのバチさばきをみせる平敷屋エイサーが有名である。
【０００３】
この様なパーランクーを使用した特許出願として、例えば特許文献１が提案されている。この特許文献１は２個のパーランクーを背中合わせに接合することによって、三味線の胴を形成し、且つ沖縄らしさを強調し、安価な三味線を提案している。
【先行技術文献】
【特許文献】
【０００４】
【特許文献１】特開２００６−０４７４１５号公報
【考案の概要】
【考案が解決しようとする課題】
【０００５】
従来のパーランクーでは牛皮が使用されている。しかし、近年牛皮の価格が上がり、商品を販売する際、価格アップの原因になっている。このような現状において、沖縄三線では蛇皮三線と人工皮三線が使用され、近年人工皮三線は蛇皮に代えて広く使用されている。
【０００６】
そこで、本考案はパーランクーにおいて、牛皮に代えてポリエステル等の生地を使用し、例えば蛇柄やハイビスカス等の柄をプリントした人工皮のパーランクーを提案するものである。
【課題を解決するための手段】
【０００７】
上記課題は第１の考案によれば、胴輪部と、該胴輪部の一面に張設された人工皮と、該人工皮の周縁部を前記胴輪部の側面に固定する複数の鋲と、を備えるパーランクーを提供することによって達成できる。
【０００８】
上記課題は第２の考案によれば、前記人工皮はポリエステル樹脂又は塩化ビニール樹脂であるパーランクーを提供することによって達成できる。
【０００９】
上記課題は第３の考案によれば、前記人工皮には蛇柄の模様、又はハイビスカスの模様が印刷されているパーランクーを提供することによって達成できる。
【図面の簡単な説明】
【００１０】
【図１】本考案のパーランクーの外観図である。
【図２】人工皮に蛇柄の模様を印刷した人工皮を使用したパーランクーの外観図である。
【図３】人工皮にハイビスカスの模様を印刷した例を示す図である。
【図４】人工皮に琉球瓶の模様を印刷した例を示す図である。
【考案を実施するための形態】
【００１１】
以下、本考案の実施の形態を図面を参照しながら説明する。
図１は、本考案のパーランクーの外観図である。前述のように、パーランクーは手持ちの片張り太鼓であり、パーランクー１は胴輪部２、人工皮３で構成され、胴輪部２は桶のように板を貼り合わせた構造であり、胴輪部２の一方の面に人工皮３が張設されている。この人工皮３の張設は胴輪部２の一方の面を覆って人工皮３を張着し、鋲４によって胴輪部２の側部に固定されている。人工皮３は振動用であり、踊りながらバチ５を使って敲く。このため、パーランクー１（胴輪部２）の他面は開口されており、この開口を使用してパーランクー１を握持する。
【００１２】
本例のパーランクー１は、前述のように牛皮に代えて人工皮３を使用しており、例えば人工皮３としてポリエステルや塩化ビニールを使用しており、バチ５で敲いても破れることはない。
【００１３】
また、本例の人工皮３には蛇柄やハイビスカスの柄が印刷されている。図２は人工皮３に蛇柄の模様を印刷した場合のパーランクー６の外観図である。また、図３は人工皮３にハイビスカスの模様を印刷した例を示す図である。さらに、図４は人工皮３に琉球瓶の模様を印刷した例を示す図である。何れの例も、沖縄らしさを強調し、安価なパーランクーを提供することができる。
【００１４】
以上のように、本考案は沖縄らしさを強調し、安価なパーランクーを提供することができ、またポリエステルや塩化ビニール等の生地を使用しており、十分な強度を有するパーランクーを提供することができる。
【符号の説明】
【００１５】
１・・・パーランクー
２・・・胴輪部
３・・・人工皮
４・・・鋲
５・・・バチ
６・・・パーランクー
【図１】
0003189766.tif 000003
【図２】
0003189766.tif 000004
【図３】
0003189766.tif 000005
【図４】
0003189766.tif 000006
(57)【要約】      （修正有）【課題】常時持ち歩くことが出来るようにした買物袋で急に買物をすることになった時などに収納袋から取り出し広げて買物袋として直ぐ対処できることを目的とした収納袋付の携帯用である買物袋を提供する。【解決手段】買物袋１とそれに接続した買物袋入れとなるファスナー付の小さな収納袋２とからなり、折り畳んだ大きな買物袋１を接続用の細紐３で繋いだ小さな収納袋２に入れ、ハンドバッグなどの片隅に又は洋服のポケットなどに入るようにした携帯用の買物袋である。【選択図】図１
0003189800.tif 000002
【実用新案登録請求の範囲】
【請求項１】
買物袋１とこれを細い接続用の紐３で繋げた小さな収納袋２とから成るもので買物袋１は常時収納袋２に入れておき、買物の時に収納袋２から取り出して使用するもので買物袋１と収納袋２は細い接続用の紐３で切り離せないように繋げた携帯に便利な買物袋である。
【考案の詳細な説明】
【考案の詳細な説明】
【産業上の利用分野】
【０００１】  本考案は、買物袋とこれに接続した小型で携帯可能な収納袋とからなり買物袋を収納袋に収納し必要時に買物袋を取り出し広げて使用するようにしたものでレジ袋などの使い捨てゴミを減少するのにも役立つ収納袋付携帯用の買物袋である。
【背景技術】
【０００２】  収納袋がない従来の買物袋では嵩張った買物袋とならざるを得ず常時持ち歩くことは容易ではなく急に買物をする場合にはレジ袋のような使い捨ての袋に頼らざるを得ない。
本考案では風呂敷包み的感覚で折り畳んで小さな収納袋に入れるためハンドバッグの隅に収めるなど常時持ち歩くことが可能である。
【考案が解決しようとする課題】
【０００３】  上述のように容易に持ち歩くことが可能で常時バッグの端やポケットなどに収納し急に買物の必要が出来た時に取り出し広げて使用するものでレジ袋による使い捨てゴミなどの減少に役立つものである。
【課題を解決するための手段】
【０００４】  本考案は買物袋のほかに収納袋を設けることにより小型化されバッグなどの片隅に常時収納する事が可能となり、且、買物袋と収納袋を連結したため一体化され常時携帯が容易となる。
【作用】
【０００５】  本考案は上述したように小型の収納袋に買物袋を収納するため携帯に便利となり常時携帯することにより急の買物時に大きな役目を果たすことが出来る。
【実施例】
【０００６】  以下、本考案の実施例を図面に従って説明する。【０００７】  図１の買物袋１を図２のように収納された収納袋２から取り出し広げて大きくした買物袋１に品物を入れる。同時に収納袋２と接続用の紐３も一時的に買物袋１に収納する。【０００８】  買物袋として使用し商品を出して空になった後は買物袋１に一時的に入れた接続用の紐３と収納袋２を買物袋１から取り出す。【０００９】  空になった買物袋１は折り畳んで収納袋２に収納し再びバッグなどの片隅に収納することになる。【０００１０】  従って本考案は買物袋１を広げて買物として使用しているとき以外には買物袋１は常に収納袋２の中に収納される状態にあり常時の携帯も容易となる。【０００１１】  上記のように買物袋１とこれを収納袋２に接続した接続用の紐３により一体化した収納袋付携帯用買物袋として携帯に便利で且買物時はレジ袋も使わずゴミの減少にも役立つものである。【０００１２】  本考案は携帯に便利のように考案したもので布地を使用するのを基本としている。
【考案の効果】
【０００１３】  本考案は買物袋１とこれを接続用の紐３によって接続された収納袋２とからなり未使用時は収納袋２に収納した買物袋１をバッグなどの片隅に収納し使用時は買物袋１を取り出し広げて使用するもので携帯に便利であり更にレジ袋を使わずに済むなどゴミの減少にも貢献するものである。
【図面の簡単な説明】
【図１】  買物袋とこれに繋げた収納袋の正面図である。
【図２】  買物袋を収納した収納袋の斜面図である。
【図３】  Ａ−Ａの水平断面図である。
【符号の説明】  １・・・買物袋
２・・・収納袋
３・・・１と２の接続用の紐
４・・・収納袋のファスナー
【図１】
0003189800.tif 000003
【図２】
0003189800.tif 000004
【図３】
0003189800.tif 000005
(57)【要約】      （修正有）【課題】住宅、建築物、サイロ等の内容物、断熱、保温、定温を促進するシートを提供する。【解決手段】アルミ蒸着ＰＥＴフィルム３の蒸着面に可塑剤にて不織布１を貼り付けパンチング加工（穴あけ加工）し、発砲ウレタン４を下部に積層化した多層構造シートである。外形物に応じた形状に加工し貼り付ける。【選択図】図１
0003189797.tif 000002
【実用新案登録請求の範囲】
【請求項１】
アルミ蒸着ＰＥＴの蒸着面に不織布を可塑剤にて貼り付けパンチング加工したシートである。
【請求項２】
請求項１記載のシートに発砲ウレタンを積層加工したものにである。
【考案の詳細な説明】
【技術分野】
【０００１】住宅壁面床面屋根裏、バッグ、サイロカバー等の内面、内容物の温度管理、品質管理に関するものである。
【背景技術】
【０００２】冬季の保温、夏季の断熱、左記以外の期間での定温を促進するものである。積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
アルミ蒸着ＰＥＴの蒸着面に不織布を可塑剤で貼り付けパンチング加工を施し発砲ウレタンで多層化加工したシート。
【考案が解決しようとする課題】
【０００５】住宅壁面床面屋根裏、バッグ、サイロカバー等の内面、内容物の温度管理、品質管理、結露防止、紫外線防止である。
【課題を解決するための手段】
【０００６】考案の概要で加工されたものをシート、袋状、シート状等外形に応じた形状に加工したものを貼り付ける。カーテン状に吊り下げてもよい。
【考案の効果】
【０００７】冬季の保温、夏季の断熱、左記以外の期間での定温を促進するものである。
【図面の簡単な説明】
【０００８】
【図１】平面断面詳細図である。
【考案を実施するための形態】
【０００９】本考案はシート状の形状であるため、外形物に応じた形状で加工し貼り付ける。
【実施例】
【００１０】住宅床面裏に貼り付け、壁面内部に貼り付けて使用、定温低温輸送車、サイロ表面カバー等内容物の管理、品質管理、衣料等応用範囲は多岐である。
【図１】
0003189797.tif 000003
(57)【要約】      （修正有）【課題】公共交通機関等においてリクライニングシートを使用した状態でタブレットを操作するための支持台を提供する。【解決手段】タブレットを固定することができるタブレット差し込みケース４に任意の角度を保持できるトルク蝶番２を介して棒状の柄５の部分を連結し、片手と頭部に掛けたひも１でタブレットをプラカードのように上に掲げながら、保持できるようにする。【選択図】図１
0003189799.tif 000002
【実用新案登録請求の範囲】
【請求項１】
タブレットを固定することができる収納ケースとプラカードのように上方に掲げるための棒状の柄を任意の角度を保持できるトルク蝶番を介して連結し、前記収納ケースに首に掛けてタブレットを支えるためのひもを取り付けたことを特徴とする支持台。
【請求項２】
タブレットを固定することができる収納ケースとプラカードのように上方に掲げるための棒状の柄を任意の角度を保持できるトルク蝶番を介して連結し、前記収納ケースに首に掛けてタブレットを支えるためのひもを取り付け、さらに取っ手の柄を数個の部分に分割し、任意の角度を保持できる蝶番によって相互に連結し、柄を折りたたむことができるようにしたことを 特徴とする支持台。
【考案の詳細な説明】
【技術分野】
【０００１】
本考案は、主として公共交通機関等においてリクライニングシートを使用した状態でタブレットを操作するための支持台に関する。
【背景技術】
【０００２】
公共交通機関等においてリクライニングシートを利用する機会は多く、背中をもたれさせた状態で長時間タブレットを操作するための支持台があれば非常に便利である。先行文献としては特許文献１，２，３に示すように支持台にアームや支柱が取り付けてあり、机等の上に置いた支持台から手元にタブレットを引き寄せることができるようになっているものがある。
【先行技術文献】
【特許文献】
【０００３】
【特許文献１】実用新案登録第３０５３７６３号
【特許文献２】実用新案登録第３００５５８４号
【特許文献３】特開2010-004508
【考案の概要】
【考案が解決しようとする課題】
【０００４】
リクライニングシートの使用時に背中をもたれさせてタブレットを操作しようとすると常に手で上にタブレットを掲げていなければならないという課題がある。
特許文献１，２，３のようにアームや支柱付きの支持台を利用すれば、一応手元にタブレットを引き寄せることができるので、机等に支持台を取り付ければ、リクライニングシートを使用しながらのタブレットの操作は可能になると思われるが、自宅と違って公共交通機関の場合それを取り付ける机等が適切な場所にないことが多く、仮にあったとしても支持台を机等に固定することは他の乗客の迷惑になるという問題がある。
【課題を解決するための手段】
【０００５】
本考案は以上の点を解決するために次のような構成を採用する。
１．タブレットを固定することができる収納ケースとプラカードのように上方に掲げるための棒状の柄を任意の角度を保持できるトルク蝶番を介して連結する。さらに前記収納ケースに首に掛けてタブレットを支えるためのひもを取り付けたことを特徴とする支持台。
２．上記１で柄の部分を数個の部分に分割し、任意の角度を保持できるトルク蝶番によって相互に連結し、持ち運ぶ際は柄を折りたためることを 特徴とする支持台。
【考案の効果】
【０００６】
本考案の支持台には次のような効果がある。
〈具体例１と具体例２の共通の効果〉
任意の角度を保持できるトルク蝶番によって棒状の柄と連結されたタブレットをプラカードのように上方に掲げながら首に掛けたひもで支えるため、リクライニングした状態でも長時間の保持が可能。また、支持台を机の上に固定しないので、公共交通機関でも他の乗客の迷惑ならず、支持台を取り付ける机等がなくても利用できる。
〈具体例２の特有の効果〉
取っ手の柄の部分が分割され、任意の角度を保持できるトルク蝶番を介して連結されているので柄の部分をコンパクトに折りたたむことができ、持ち運ぶ際の利便性がさらに増す。
【図面の簡単な説明】
【０００７】
【図１】この考案の構成１の具体例を示す。
【図２】この考案の構成１でタブレットを収納した状態の具体例を示す。
【図３】この考案の構成２の具体例を示す。
【図４】この考案の構成２でタブレットを収納した状態の具体例を示す。
【図５】この考案の構成２で柄を折りたたんだ状態を示す。
【図６】この考案の構成２の使用例を示す。
【考案を実施するための形態】
【０００８】
以下、本考案を図の具体例を用いて詳細に説明する。
【実施例】
【０００９】
以下の説明で、実施例１は構成１に対応し、実施例２は構成２に対応する。
実施例１
図１および図２に、本考案の支持台の具体例を示す。
支持台は、ひも１を取り付けたケース４と任意の角度を保持できるトルク蝶番２によって連結された柄５から構成される。
ケース４はタブレットを横から差し込んで固定することのできるようにスポンジ６が内部にはりつけてあり、そのクッション性を利用してタブレットが外れないようになっている。また、タブレットに内蔵されているスピーカーや端子の利用の妨げにならないように背面と側面には空間が確保されている。
プラカードのように上方に掲げることができる柄５は片手で握ることができるようになっている。
ひも１は首に掛けてタブレットを支えるためのものである。
【００１０】
実施例２
図３および図４に示すように柄5の部分を２つに分割し、任意の角度を保持できるトルク蝶番２によって相互に連結する。持ち運ぶ際は図５に示すように柄５を折り曲げてバッグ等に収納することができる。
以上の支持台は次のようにして使用する。
図６に示すようにリクライニングシートに寝た状態でひも１を首に掛け、片手で取っ手の柄5の部分を握って、タブレットをプラカードのように上に掲げ、目線に合うようにして使用する。
【産業上の利用可能性】
【００１１】
以上のように、この考案の支持台は、列車やバス等の公共交通機関でリクライニングシートを利用する際に他の乗客の迷惑になることなく、また支持台を取り付ける机等がなくても背中をもたれさせた状態でタブレットを長時間操作することに適している。
【符号の説明】
【００１２】
1 ひも
2 任意の角度を保持できるトルク蝶番
3 タブレット
4 タブレット差し込みケース
5 柄
6 スポンジ
【図１】
0003189799.tif 000003
【図２】
0003189799.tif 000004
【図３】
0003189799.tif 000005
【図４】
0003189799.tif 000006
【図５】
0003189799.tif 000007
【図６】
0003189799.tif 000008
(57)【要約】      （修正有）【課題】住宅、建築物、サイロ等の内容物、断熱、保温、定温を促進するシートを提供する。【解決手段】アルミ蒸着ＰＥＴの両面に可塑剤にて不織布を貼り付け加工し結露防止を促進するため不織布に吸水加工を施した多層構造シートである。シート状の形状であるため、外形物に応じた形状で加工し貼り付けることができる。【選択図】図１
0003189796.tif 000002
【実用新案登録請求の範囲】
【請求項１】
アルミ両面蒸着ＰＥＴの両面に吸水加工した不織布を可塑剤にて貼り付け加工したシートである。
【請求項２】
請求項１記載のシートにパンチング加工を加えたものである。
【考案の詳細な説明】
【技術分野】
【０００１】住宅壁面床面屋根裏、バッグ、サイロカバー等の内面、内容物の温度管理、品質管理に関するものである。
【背景技術】
【０００２】冬季の保温、夏季の断熱、左記以外の期間での定温を促進するものである。積極的に効果を発するものは存在していなかった。
【先行技術文献】
【特許文献】
【０００３】
【特許文献１】
【特許文献２】
【非特許文献】
【０００４】
【非特許文献１】
【非特許文献２】
【考案の概要】
アルミ蒸着ＰＥＴの両面に吸水加工した不織布を可塑剤で貼り付け加工したシート。
【考案が解決しようとする課題】
【０００５】住宅壁面床面屋根裏、バッグ、サイロカバー等の内面、内容物の温度管理、品質管理、結露防止、紫外線防止である。
【課題を解決するための手段】
【０００６】考案の概要で加工されたものをシート、袋状、シート状等外形に応じた形状に加工したものを貼り付け、カーテン状に吊り下げてもよい。
【考案の効果】
【０００７】冬季の保温、夏季の断熱、左記以外の期間での定温を促進するものである。
【図面の簡単な説明】
【０００８】
【図１】平面断面詳細図である。
【考案を実施するための形態】
【０００９】本考案はシート状の形状であるため、外形物に応じた形状で加工し貼り付ける。
【実施例】
【００１０】住宅床面裏に貼り付け、壁面内部に貼り付けて使用、定温低温輸送車、サイロ表面カバー等内容物の管理、品質管理、衣料等応用範囲は多岐である。
【図１】
0003189796.tif 000003
(57)【要約】      （修正有）【議題】設置面積が小さく大きな出力と高い熱効率が得られる熱磁気エンジンのシステムを提供する。【解決手段】熱磁気エンジン複数台を縦列で多段に配置し、ローター１を加熱するための加熱物質供給口１７を上段に設け、上段の熱磁気エンジンから排出された加熱物質を下段の熱磁気エンジンの加熱物質として供給する経路１８を備えたことを特徴とする縦列多段の熱磁気エンジンシステム。【選択図】図１
0003189791.tif 000002
【実用新案登録請求の範囲】
【請求項１】
磁石を支持体に固定し、感温磁性材料を装着したローターあるいは感温磁性材料で形成したローターを磁場中を通した熱磁気エンジン複数台を縦列で多段に配置し、ローターを加熱するための加熱物質供給口を上段に設け、上段の熱磁気エンジンから排出された加熱物質を下段の熱磁気エンジンの加熱物質として供給する経路を備えたことを特徴とする縦列多段の熱磁気エンジンシステム。
【考案の詳細な説明】
【技術分野】
【０００１】  本考案は、感温磁性材料を用いた熱磁気エンジンのシステムで、設置面積が小さくて大きな出力と高い熱効率を得ることができる縦列多段の熱磁気エンジンシステムに関するものである。
【背景技術】
【０００２】  従来、感温磁性材料を用いた熱磁気エンジンが考案されているが、小さい設置面積で大きな出力と高い熱効率を得ることは難しかった。
【先行技術文献】
【特許文献】
【０００３】
【特許文献１】特開平６−１４１５７２（磁性体エンジン）
【特許文献２】特開平９−２６８９６８（熱磁気エンジン）
【非特許文献】
【０００４】
【非特許文献１】実用新案登録第３１８６８３１号（熱磁気エンジン）
【非特許文献２】実願２０１３−６６８２（熱磁気エンジン）
【非特許文献３】実願２０１３−６７３９（熱磁気エンジン）
【考案の概要】
【考案が解決しようとする課題】
【０００５】  本考案は、従来の課題を解決し、設置面積が小さくて大きな出力と高い熱効率が得られる熱磁気エンジンのシステムを提供する目的からなされたものである。
【課題を解決するための手段】
【０００６】  熱磁気エンジン複数台を縦列に多段に配置し、熱磁気エンジンのローターを加熱するための加熱物質供給口を上段に設け、上段の熱磁気エンジンから排出された加熱物質を下段の熱磁気エンジンの加熱物質として供給する経路を備えたことを特徴とする縦列多段の熱磁気エンジンシステム。
【考案の効果】
【０００７】  本考案は、複数台の熱磁気エンジンを縦列に多段に配置することによって設置面積が小さくでき、上段から排出された加熱物質が自然落下で下段に導入できるので排熱の再利用がし易く、大きな出力と高い熱効率が得られるのでエネルギーと環境保全上極めて有益なものである。
【図面の簡単な説明】
【０００８】
【図１】  本考案実施例の縦列多段の熱磁気エンジンシステムの構成図である。
【考案を実施するための形態】
【０００９】  熱磁気エンジン複数台を縦列に多段に配置して構成できる。
【実施例】
【００１０】  図１は本考案実施例の縦列多段の熱磁気エンジンシステムの構成図で、実願２０１３−６６８２の熱磁気エンジン複数台を縦列で多段に配置し、上段に加熱物質供給口１７を設け、上段の熱磁気エンジンから排出された加熱物質をチューブ１８を用いて経路を作って下段の熱磁気エンジンに供給した実施例である。【００１１】  実施においては、上段の熱磁気エンジンから排出された加熱物質を自然落下させて下段の熱磁気エンジンに供給することもできる。【００１２】  供給された加熱物質と排出された加熱物質とでは温度が異なるので、各段に配置する熱磁気エンジンの感温磁性材料を選択することによって熱効率を向上させることもできる。【００１３】  実施においては、より大きな出力を得るために、各段に複数台の熱磁気エンジンを配置し、複数段とすることもできる。
【産業上の利用可能性】
【００１４】  地熱、太陽熱をはじめ各種の排熱を利用してエネルギーを生み出すことができること以外に、熱交換器や放熱器として利用することもできる。
【符号の説明】
【００１５】  １…ローター
２…磁石
３…磁石固定板
４…支持体
５…加熱物質導入口
６…加熱物質収納容器
７…加熱物質回収容器
８…加熱物質排出口
９…軸受
１０…回転軸
１１…冷却物質収納容器
１２…加熱物質
１３…冷却物質
１４…冷却物質入口
１５…冷却物質出口
１６…台座
１７…加熱物質供給口
１８…チューブ
【図１】
0003189791.tif 000003